(57)【要約】  本発明は、第１の材料が配置された支持体を有する携行可能な物のための外装要素（１）に関する。第１の材料は、与えられた応力に応じて異なる可視光の波長を反射することができるように選ばれる。【選択図】  図１
2019510523.tif 000002
【特許請求の範囲】
【請求項１】
第１の材料（Ｍ１）が配置された支持体（１２）を有する携行可能な物のための外装要素（１）であって、
前記第１の材料は、与えられた機械的な応力に応じて異なる可視光の波長を反射することができるように選ばれ、
当該外装要素は、さらに、前記第１の材料に与えられる応力を変えることを可能にするデバイス（１４）を有し、
前記第１の材料に与えられる応力を変えることを可能にするデバイス（１４）は、物理的な量に応じて体積を変えることができる第２の材料（Ｍ２）を用い、
前記第２の材料は、前記第１の材料（Ｍ１）を担持しているフレキシブル要素と関連づけられている
ことを特徴とする外装要素。
【請求項２】
前記支持体（１２）と、及び前記第１の材料に与えられる応力を変えることを可能にするデバイス（１４）とは、同じ１つの部品である
ことを特徴とする請求項１に記載の外装要素。
【請求項３】
前記支持体（１２）は、前記第１の材料で被覆された双安定の金属製バンド（３２）である
ことを特徴とする請求項２に記載の外装要素。
【請求項４】
前記支持体（１２）には、前記第１の材料（Ｍ１）によって作られハウジングを形成する膜（４２’）によって閉じられる少なくとも１つの凹部（４０）があり、
前記ハウジングは、第２の材料（Ｍ２）が充填された２つの連結した半殻（４４’）によって構成しているカプセル（４２’）を収容する
ことを特徴とする請求項１に記載の外装要素。
【請求項５】
前記支持体（１２）には、前記第１の材料によって作られハウジングを形成する膜（４２）によって閉じられる少なくとも１つの凹部（４０）があり、
このハウジング内に、カプセル／ピストンのシステム（４３）と前記第２の材料（Ｍ２）が配置され、
前記カプセル／ピストンのシステム（４３）は、半殻（４４）とピストン（４５）によって形成されており、これによって、前記第２の材料（Ｍ２）の体積の変化によって前記ピストンが運動する
ことを特徴とする請求項１に記載の外装要素。
【請求項６】
各カプセル（４３）は、前記第２の材料で充填され、この第２の材料は、あるカプセルが他のカプセルに対して異なっていることができる
ことを特徴とする請求項４に記載の外装要素。
【請求項７】
各凹部（４０）は、前記第２の材料（Ｍ２）で充填され、この第２の材料は、あるハウジングが他のハウジングに対して異なっていることができる
ことを特徴とする請求項５に記載の外装要素。
【請求項８】
前記支持体（１２）は、互いに周部にて固定された連結された少なくとも２つの部分（３１０）によって形成されており、
前記少なくとも２つの部分の間には空き空間（３１２）があり、
前記少なくとも２つの部分のうちの少なくとも１つは、フレキシブルであり前記第１の材料を担持しており、
前記空き空間は、前記第２の材料を収容する凹部（４０）を形成している
ことを特徴とする請求項１に記載の外装要素。
【請求項９】
前記少なくとも２つの部分によって形成された前記支持体は、さらに、少なくとも２つの領域（３１５）の境界を定めるように前記少なくとも２つの部分の間に延在している少なくとも１つの構造（３１３）を有し、
その各領域は、ブラダーを含むことができる
ことを特徴とする請求項８に記載の外装要素。
【請求項１０】
各領域（３１５）は、特定の第２の材料を含む
ことを特徴とする請求項９に記載の外装要素。
【請求項１１】
前記第１の材料に与えられる応力を変えることを可能にするデバイス（１４）は、ポンプシステム（１４２）に接続されるプラスチック材料によって作られたブラダー（１４１）を有し、
前記ポンプシステムによって、前記ブラダーを膨張又は収縮させることができ、
前記ポンプシステムには、中空空気キャビティ（１４３ａ）と逆止め弁（１４５）があり、前記中空空気キャビティには、前記中空空気キャビティに空気を充填することを可能にする穴（１４３ｂ）があり、
前記逆止め弁は、両方とも前記ポンプシステムの壁に溶接されたプラスチック材料で作られた１対のシート（１４５ａ）を有し、
前記シートは、実質的にＵ字形に曲がっており、
前記ブラダーの方向にのみ空気が通させるように互いに構成しており、
前記デバイスは、前記第１の材料（Ｍ１）を担持しているフレキシブル要素に関連づけられている
ことを特徴とする請求項１に記載の外装要素。
【請求項１２】
前記支持体（１２）は、空き空間（３１０２）が間にあるように周部にて互いに連結された少なくとも２つの部分（３１００）によって形成されており、
前記空き空間に前記ブラダー（１４１）を収容することができ、
前記部分の１つには、開口があり、これによって、前記ポンプシステムがアクセス可能なまま、その開口内に前記ポンプシステム（１４２）を挿入することができる
ことを特徴とする請求項１１に記載の外装要素。
【請求項１３】
前記少なくとも２つの部分（３１００）の少なくとも１つは、フレキシブルであり前記第１の材料（Ｍ１）を担持している
ことを特徴とする請求項１２に記載の外装要素。
【請求項１４】
前記少なくとも２つの部分（３１００）の少なくとも１つには、穴をあけられており、
前記第１の材料は、フレキシブル要素としてはたらく前記ブラダーによって保持される、前記穴を介して見ることができる
ことを特徴とする請求項１２に記載の外装要素。
【請求項１５】
前記支持体（１２）は、空き空間（３１０２）が間にあるように周部にて互いに固定された連結された少なくとも２つの部分（３１００）によって形成されており、
前記少なくとも２つの部分の少なくとも１つは、フレキシブルであり前記第１の材料を担持しており、
前記空き空間は、前記ポンプシステムの前記ブラダー（４０）を形成しており、
前記部分の１つには、前記ポンプシステムを中に配置する開口がある
ことを特徴とする請求項１１に記載の外装要素。
【請求項１６】
前記第１の材料（Ｍ１）は、前記支持体（１２、３２）上に堆積する膜の形態である
ことを特徴とする請求項１〜１５のいずれかに記載の外装要素。
【請求項１７】
前記フレキシブル要素（４２’、４２、３１０、３１００）は、前記第１の材料（Ｍ１）によって少なくとも部分的に形成されている
ことを特徴とする請求項１〜１１のいずれかに記載の外装要素。
【請求項１８】
前記フレキシブル要素（４２’、４２、３１０、３１００）は、前記第１の材料（Ｍ１）によって少なくとも部分的に形成されている
ことを特徴とする請求項１３〜１６のいずれかに記載の外装要素。
【請求項１９】
ケース裏部とカバーによって閉じられるケースを有する携行可能な物であって、
請求項１〜１８のいずれかに記載の外装要素（１）を少なくとも１つ有する
ことを特徴とする携行可能な物。
【請求項２０】
当該携行可能な物は、ケース裏部（２１）と風防（２２）によって閉じられるケースミドル部（２０）によって形成されるケース（２）と、及び２対のホーン（２４）によって前記ケースミドル部に取り付けられたリストバンド（３）とを有する計時器であり、
前記リストバンドには、少なくとも１つのリストバンド部分（３１）があり、
前記外装要素は、前記ケースミドル部、前記ケース裏部及び前記リストバンドを含む群から選択されるものである
ことを特徴とする請求項１９に記載の携行可能な物。
【請求項２１】
前記計時器は、さらに、表盤（４１）を有するディスプレー手段に時間情報を与える計時器用ムーブメントを有し、
前記表盤は、前記外装要素が選択される前記群に含まれている
ことを特徴とする請求項２０に記載の携行可能な物。
【発明の詳細な説明】
【技術分野】
【０００１】
本発明は、第１の材料が配置された支持体を有する携行可能な物のための外装要素に関する。前記第１の材料は、与えられた応力に応じて異なる可視光の波長を選択的に反射することができるように選ばれる。
【背景技術】
【０００２】
色付けされた外装要素を備える携行可能な物、例えば、腕時計、が知られている。一般的には、外装要素は、１つの色又は特定のパターンで色付けされており、この色付けは恒久的である。
【０００３】
しかし、色を変えることができる外装要素を備える腕時計の必要性がある。この必要性は、要求や気分によって腕時計ないし携行可能なデバイスの色を変えたいという消費者の要望によって発生するものである。
【０００４】
わかりやすい解決手法として、ユーザーによって容易に交換することができるアクセサリー、例えば、電話機のケース、を用いるものがある。
【０００５】
しかし、この手法には、ユーザーが交換部品を保管していることを必要とするという短所がある。これらの部品をなくすこともあり、その場合、腕時計や電話機を変えるごとに保管部品を新しくすることが必要になる。
【０００６】
別の手法として、色が変わるピグメントを用いるものがある。このようなピグメントとして、フォトクロミックであるものやサーモクロミックなものがある。これらのピグメントは、インクに導入されたり、外装要素を形成する材料に直接導入されたりする。この場合、温度又は光が変わることで、外装要素の色が変わる。
【０００７】
この場合の課題は、この構成が制御可能ではないということである。実際に、これらのピグメントは、特定の温度又は光の値にて反応する。消費者は、これらの要素を制御することはほとんどできず、これらの要素に依存することとなる。
【発明の概要】
【発明が解決しようとする課題】
【０００８】
したがって、色の変化を制御することができるような外装要素の必要性がある。
【０００９】
本発明は、色の変化を制御することができる携行可能な物のための外装要素を提案することによって前記の従来技術の課題を克服するような外装要素に関する。
【課題を解決するための手段】
【００１０】
このために、本発明は、第１の材料が配置された支持体を有する携行可能な物のための外装要素を提供することを目的とし、前記第１の材料は、与えられた応力に応じて異なる可視光の波長を選択的に反射することができるように選ばれ、当該外装要素は、さらに、前記第１の材料に与えられた応力を変えることを可能にするデバイスを有する。
【００１１】
本発明によって、塗料を被覆したり色が付いたケースを追加したりせずに色を変えることができるような外装要素を有することができる。
【００１２】
第１の好ましい実施形態において、前記支持体と、及び前記第１の材料に与えられる応力を変えることを可能にするデバイスとは、同じ１つの部品である。
【００１３】
第２の好ましい実施形態において、前記支持体は、前記第１の材料で被覆された双安定の金属製バンドである。
【００１４】
第３の好ましい実施形態において、前記第１の材料に与えられる応力を変えることを可能にするデバイスは、物理的な量に応じて体積を変えることができる第２の材料を用い、前記第２の材料は、前記第１の材料を担持しているフレキシブル要素と関連づけられている。
【００１５】
第４の好ましい実施形態において、前記支持体には、前記第１の材料によって作られハウジングを形成する膜によって閉じられる少なくとも１つの凹部があり、前記ハウジングは、第２の材料が充填された２つの連結した半殻によって構成しているカプセルを収容する。
【００１６】
第５の好ましい実施形態において、前記支持体には、前記第１の材料によって作られハウジングを形成する膜によって閉じられる少なくとも１つの凹部があり、このハウジング内に、カプセル／ピストンのシステムと前記第２の材料が配置され、前記カプセル／ピストンのシステムは、半殻とピストンによって形成されており、これによって、前記第２の材料の体積の変化によって前記ピストンが運動する。
【００１７】
第６の好ましい実施形態において、各カプセルは、前記第２の材料で充填され、この第２の材料は、あるカプセルが他のカプセルに対して異なっていることができる。
【００１８】
別の好ましい実施形態において、各凹部は、前記第２の材料で充填され、この第２の材料は、あるハウジングが他のハウジングに対して異なっていることができる。
【００１９】
別の好ましい実施形態において、前記支持体は、互いに周部にて固定された連結された少なくとも２つの部分によって形成されており、前記少なくとも２つの部分の間には空き空間があり、前記少なくとも２つの部分のうちの少なくとも１つは、フレキシブルであり前記第１の材料を担持しており、前記空き空間は、前記第２の材料を収容する凹部を形成している。
【００２０】
別の好ましい実施形態において、前記少なくとも２つの部分によって形成された前記支持体は、さらに、少なくとも２つの領域の境界を定めるように前記少なくとも２つの部分の間に延在している少なくとも１つの構造を有し、その各領域は、ブラダーを含むことができる。
【００２１】
別の好ましい実施形態において、各領域は、特定の第２の材料を含む。
【００２２】
別の好ましい実施形態において、前記第１の材料に与えられる応力を変えることを可能にするデバイスは、ポンプシステムに接続されるプラスチック材料によって作られたブラダーを有し、前記ポンプシステムによって、前記ブラダーを膨張又は収縮させることができ、前記ポンプシステムには、中空空気キャビティと逆止め弁があり、前記中空空気キャビティには、前記中空空気キャビティに空気を充填することを可能にする穴があり、前記逆止め弁は、両方とも前記ポンプシステムの壁に溶接されたプラスチック材料で作られた１対のシートを有し、前記シートは、実質的にＵ字形に曲がっており、前記ブラダーの方向にのみ空気が通させるように互いに構成しており、前記デバイスは、前記第１の材料を担持しているフレキシブル要素に関連づけられている。
【００２３】
別の好ましい実施形態において、前記支持体は、空き空間が間にあるように周部にて互いに固定された少なくとも２つの部分によって形成されており、前記空き空間に前記ブラダーを収容することができ、前記部分の１つには、開口があり、これによって、前記ポンプシステムがアクセス可能なまま、その開口内に前記ポンプシステムを挿入することができる。
【００２４】
別の好ましい実施形態において、前記少なくとも２つの部分の少なくとも１つは、フレキシブルであり前記第１の材料を担持している。
【００２５】
別の好ましい実施形態において、前記少なくとも２つの部分の少なくとも１つには、穴をあけられており、前記第１の材料は、フレキシブル要素としてはたらく前記ブラダーによって保持される、前記穴を介して見ることができる。
【００２６】
別の好ましい実施形態において、前記支持体は、空き空間が間にあるように周部にて互いに固定された連結された少なくとも２つの部分によって形成されており、前記少なくとも２つの部分の少なくとも１つは、フレキシブルであり前記第１の材料を担持しており、前記空き空間は、前記ポンプシステムの前記ブラダーを形成しており、前記部分の１つには、前記ポンプシステムを中に配置するような開口がある。
【００２７】
別の好ましい実施形態において、前記第１の材料は、前記支持体上に堆積する膜の形態である。
【００２８】
別の好ましい実施形態において、前記フレキシブル要素は、前記第１の材料によって少なくとも部分的に形成されている。
【００２９】
別の好ましい実施形態において、フレキシブルな部分は、前記第１の材料によって少なくとも部分的に形成されている。
【００３０】
本発明は、さらに、ケース裏部とカバーによって閉じられるケースを有する携行可能な物に関し、前記のいずれかに記載の外装要素を少なくとも１つ有する。
【００３１】
好ましい実施形態において、当該携行可能な物は、ケース裏部と風防によって閉じられるケースミドル部によって形成されるケースと、及び２対のホーンによって前記ケースミドル部に固定されたリストバンドとを有する計時器であり、前記リストバンドには、少なくとも１つのリストバンド部分があり、前記外装要素は、前記ケースミドル部、ベゼル、竜頭、押しボタン、ケース裏部及びリストバンド及びバックルを含む群から選択されるものである。
【００３２】
別の好ましい実施形態において、前記計時器は、さらに、表盤を有するディスプレー手段に時間情報を与える計時器用ムーブメントを有し、前記表盤は、前記外装要素が選択される前記群に含まれている。
【００３３】
添付の図面を検討しつつ以下の説明を読むことで、この種の外装要素の利点を明確に思い描くことができるであろう。
【図面の簡単な説明】
【００３４】
【図１】本発明に係る携行可能な物を概略的に示している。
【図２】本発明に係る携行可能な物を概略的に示している。
【図３】図３ａ、３ｂ及び３ｃは、本発明に係る外装要素の第１の実施形態を概略的に示している。
【図４】図４ａ、４ｂ及び４ｃは、本発明に係る外装要素の第２の実施形態の第１の変種を概略的に示している。
【図５】図５ａ、５ｂ及び５ｃは、本発明に係る外装要素の第２の実施形態の第１の変種を概略的に示している。
【図６】本発明に係る外装要素の第２の実施形態の第１の変種を概略的に示している。
【図７】本発明に係る外装要素の第２の実施形態の第１の変種を概略的に示している。
【図８】本発明に係る外装要素の第２の実施形態の第１の変種を概略的に示している。
【図９】本発明に係る外装要素の第２の実施形態の第２の変種を概略的に示している。
【図１０】本発明に係る外装要素の第２の実施形態の第２の変種を概略的に示している。
【図１１】本発明に係る外装要素の第２の実施形態の第２の変種を概略的に示している。
【図１２】本発明に係る外装要素の第２の実施形態の第２の変種を概略的に示している。
【図１３】本発明に係る外装要素の第２の実施形態の第２の変種を概略的に示している。
【図１４】表盤である本発明に係る外装要素の１つのバージョンを概略的に示している。
【図１５】表盤である本発明に係る外装要素の１つのバージョンを概略的に示している。
【発明を実施するための形態】
【００３５】
本発明は、携行可能な物１のための外装要素１０に関する。当該携行可能な物は、例えば、計時器又は腕時計１であることができる。伝統的な携行可能な物は、ケース裏部とカバーによって閉じられるケースを有し、このケース内に収容されるデバイスを有している。もちろん、この携行可能な物は、電話機、コンピューター、電子タッチタブレット、又は腕輪のような装飾品であることができる。また、携行可能な物は、バッグや眼鏡のようなファッションアクセサリーであることができる。
【００３６】
携行可能な物が計時器である場合、図１及び２に示している計時器１は、例えば、ケース２を有する腕時計である。このケース２は、ケース裏部２１と風防２２によって閉じられるケースミドル部２０によって形成される。当該計時器は、さらに、リストバンド又は腕輪３を有する。このリストバンド又は腕輪３は、例えば、２対のホーン２４によって、ケースミドル部に固定される。リストバンド３は、２つのリストバンド部分によって形成されていることができ、その各部分は、１対のホーンに固定されており、クラスプを介して他方のリストバンド部分に接続される。当該計時器は、さらに、ディスプレー手段４に時間情報を与える機械的又は電子的な計時器用ムーブメントを有する。このディスプレー手段は、例えば、表盤４１と、針４２、ディスク４３又はＬＣＤスクリーン４４とを有する。
【００３７】
外装要素は、フレーム１２を有し、これは、支持体とも呼ばれ、金属やプラスチック材料によって作られている。本発明によると、外装要素１０は、与えられた応力に応じて異なる可視光の波長を選択的に反射することができる第１の材料Ｍ１を用いる。実際に、いわゆる「構造的な」色を作ることができる材料が知られている。これらの材料は、周期的に交互構成になっている異なる屈折率を有する少なくとも２つの要素によって構成している。これらの要素の大きさは、光学的干渉現象が発生（強め合う波や弱め合う波）して特定の波長を選択的に反射するような光の波長の大きさのオーダーである。干渉現象、したがって、反射される色は、選択された前記少なくとも２つの要素の周期的なグレーティングの大きさや屈折率に依存する。自然界において、構造的な色のいくつかの例がある。例えば、蝶の羽とオパールである。
【００３８】
また、この種の材料（フォトニック結晶又はオパール材料と呼ばれる）を当業者に知られた技術によって合成することもできる。合成フォトニック結晶は、一般的には、モノ分散した二元物質の球体（コアと周部では異なる２つの屈折率となっている）の規律正しいアセンブリーによって作られる。
【００３９】
１）コロイド懸濁系の結晶化、沈降、蒸発（この技術は、特に、Ｐ−Ｉｎｋ（登録商標）とＥｌａｓｔ−Ｉｎｋ（登録商標）のインクにおいて用いられている）によって、
２）電場の影響の下で（Baumberg, Advanced Engineering Materials 2013, p.948に記載されているように）、
３）押出しの間のせん断力の影響の下で（Baumberg, Stretching the imagination, Textiles, issue 4, 2009, 8-10 and US 2013/0288035, Manufacture of composite optical materialsに記載されているように）、
規律正しい球体グレーティングを達成することができる。
【００４０】
このようにして形成された周期的グレーティングは、重合によって固体化される。
【００４１】
フォトニック結晶を作る第２の方法は、薄いフレキシブル膜（典型的にはＰＤＭＳシート）上にナノメーター的サイズの「スタッド」を作ることを伴う。このようにして、カリフォルニア大学バークレー校の研究者は、リソグラフィー技術を用いて、ケイ素ピクセルアレイを作り、そして、これらを２つのＰＤＭＳシート内にカプセル化して（Flexible photonic metastructures for tunable coloration, Optical Letters, 2015, p.255）、小さな変形の影響の下で意図的に色を変えることができる薄いフレキシブル膜を作った。
【００４２】
実際に、構造的な色材がフレキシブルであったりフレキシブルな支持体上に堆積されたりする場合、材料の幾何学的寸法を変えることによって周期的グレーティングを変えることができ、したがって、材料に機械的な応力が与えられたときに、制御された形態で色を変えることができる構造的な色を有する材料を得ることができる。幾何学的寸法は、当該材料に応力を与えることによって変えられる。これらの応力は、材料の形や寸法を変えることができる、引っ張り応力、圧縮応力、ねじり応力、つまみ応力又は他の応力であることができる。
【００４３】
このようにして、この第１の材料Ｍ１は、厚みが厚かったり薄かったりする膜の形態であることができ、また、外装要素１０を形成する基材内に直接組み入れられることができる。膜の場合には、第１の構成によって、第１の材料Ｍ１が、上記の技術によって得られるオパール膜又はバンドを単純に有することができる。第２の構成においては、第１の材料Ｍ１は、フレキシブル膜上にて組み立てられたオパール膜を有する。第３の構成において、第１の材料Ｍ１は、２つのフレキシブル膜においてカプセル化されたオパール膜を有する。フレキシブル膜は、好ましくは、ＰＤＭＳ膜又は熱可塑性膜であり、これは、好ましくは、熱可塑性ポリウレタン膜である。
【００４４】
結果的に、本発明に係る外装要素１０には、支持体１２に加えて、第１の材料Ｍ１に応力が与えられて第１の材料Ｍ１が色を変えることを可能にするデバイス１４がなければならない。
【００４５】
第１の実施形態において、外装要素１０は、支持体１２と、第１の材料に応力を与えて色を変えさせるデバイス１４とが、単一の同じ要素であるように構成している。この場合、支持体が、その特徴によって、第１の材料Ｍ１に対して機械的な応力を発生させるように操作されることができることを理解することができるであろう。
【００４６】
１つの実施形態によると、外装要素１０は、いわゆる「スラップストラップ」又は「スラップバンド」である。このようなストラップ又はバンド３０は、支持体１２としてはたらく双安定の金属製バンド３２によって構成している。ストラップ又はバンド３０は双安定の金属製バンド３２を張ることによって平坦にされて、そして、ストラップをたたくことによって手首のまわりに再び巻かれる。そして、この双安定の金属製バンド３２を保護層３４で被覆することができる。この保護層３４は、図３ａに示すように審美性を向上させるように硬化する、オーバーモールドされたプラスチック材料、膜又はインクであることができる。
【００４７】
好ましいことに、この第１の実施形態によると、第１の材料Ｍ１は、双安定の金属製バンド上に配置される。
【００４８】
第１の構成において、第１の材料は、ストラップ３０の表面全体をカバーするように構成している。そして、第１の材料Ｍ１は、厚かったり薄かったりする膜の形態であることができ、これは、接着剤結合、超音波溶接、レーザー溶接、赤外線溶接によって、又は図３ａに示すように双安定の金属製バンド３２上に直接押し出されることによって、又は支持体１２上にオーバーモールドされることによって、接着剤結合され、及び／又は縫われ、及び／又はアセンブルされる。そして、その上に、保護層３４（ワニス又は熱可塑性物質）を施すことができる。そして、図３ｂに示しているように、金属製バンド３２又は双安定の金属製バンド３２の保護層３４上に、第１の材料Ｍ１を配置することができる。
【００４９】
第２の好ましい構成において、プロセスの簡明さのために、第１の材料Ｍ１がストラップ３０上に堆積され、そして、光透過性のＴＰＵタイプの熱可塑性物質でオーバーモールドされる。
【００５０】
第３の好ましい構成において、プロセスの簡明さのために、第１の材料Ｍ１は、２つの光透過性の（ＴＰＵタイプの）熱可塑性膜内にカプセル化されたオパール膜を有し、材料Ｍ１は熱溶接技術によってストラップに組み立てられる。
【００５１】
別の構成では、第１の材料Ｍ１をストラップ上の特定の場所において見ることができる。例えば、第１の材料Ｍ１は、双安定の金属製バンド（縫われたり、接合されたり、オーバーモールドされたり、組み立てられたり、又は押し出されたりする）上に配置され、図３ｃに示しているように、穴をあけられた第２の層３５（皮革、熱可塑性物質、．．．）が適切な位置にセットされて、第１の材料Ｍ１を見えるようにする。
【００５２】
したがって、双安定の金属製バンド３２がある状態から別の状態に変わると、すなわち、金属製バンド３２が張られた状態から金属製バンド３２が巻かれているが張っていない状態へと変わると、金属製バンド３２において応力の変化が発生する。この応力の変化は、第１の材料Ｍ１に伝達される。第１の材料Ｍ１は、与えられた応力に応じて異なる波長を反射することができる。結果的に、スラップストラップ３０がある状態から別の状態へと変わるときに、応力の変化によって、第１の材料Ｍ１が異なる波長を反射して、したがって、ストラップのデザインを、巻かれているかどうかによって変えることができる。
【００５３】
第２の実施形態において、第１の材料Ｍ１に応力を与えて色を変えさせる支持体１２とデバイス１４は、別個のものであり、第１の材料への応力の付与は、体積が物理的な量に応じて変わる材料Ｍ２を介して行われる。この物理的な量は、温度であることができる。より好ましくは、材料Ｍ２は、大気圧における沸点が０〜６０℃である液体である。これらの条件の下で、外装要素に材料Ｍ２の沸点よりも高い温度が与えられると、材料Ｍ２が気相へと変わり、したがって、その体積が増加する。例えば、材料Ｍ２は、塩化エチル、ブタン、プロパン又はこれらの化合物の混合物である。
【００５４】
第１の実施形態において、支持体１２には、少なくとも１つの凹部４０がある。この少なくとも１つの凹部４０は、その中にカプセル／ピストンのシステム４３及び材料Ｍ２を配置するために用いられる。このカプセル／ピストンのシステム２は、材料Ｍ２を通さず、図４ａ及び４ｂに示しているように、半殻４４とピストン４５によって形成されている。凹部４０は、材料Ｍ１によって形成されていたり材料Ｍ１を担持していたりする膜４２によって閉じられる。結果的に、温度が上昇すると、材料Ｍ２の体積は増加し、ピストン４５に作用する。ピストン４５には、丸まった外面があり、これは、ピストンが高い位置にあるときに前記材料Ｍ１の膜と接触する。このようにして、ピストン４５は、材料Ｍ２によって押されたときに、材料Ｍ１を伸ばし、材料Ｍ１が色を変える。
【００５５】
このようにして形成されたカプセル／ピストン４３は、外装要素にある凹部４０内に配置される。このカプセル／ピストン４３は、接着剤結合されたり、入れ込まれたり、溶接されたり、ねじ込まれたり、セットされたりして、凹部内に保持される。好ましい実施形態において、外装要素は、携行可能な物の熱可塑性の部品（例えば、ストラップ、表盤、腕時計ケース）に組み入れられ、外装要素１を担持している携行可能な物の熱可塑性の部品は、カプセル／ピストン４３上に直接オーバーモールドされ、これによって、凹部４０を形成する。この場合、外装要素と、その外装要素が組み入れられる携行可能な物との間に、非常に良好な接着を得ることができる。
【００５６】
代替構成の１つにおいて、第１の材料Ｍ１は、光透過性の（ＴＰＵタイプの）熱可塑性物質の２つの膜においてカプセル化されたオパール膜を有し、材料Ｍ１は、例えば、熱溶接又は接着剤結合によって、組み立てられる。
【００５７】
図４ｃに示しているように、好ましいことに、この構成によって、それぞれが１つのカプセル／ピストン４３を収容する凹部４０を設けることができる。これらのカプセルは、特定の異なる材料Ｍ２を有することができる。
【００５８】
この実施形態において、与えられた応力に応じて異なる波長を反射することができる材料Ｍ１の色を変えることができる。実際に、本発明に係る材料は、与えられた応力に応じて異なる波長を反射することができ、これによって、同じ材料に対して応力が異なれば色の変化が異なるようになる。
【００５９】
これを達成するために、第１の手法は、以下のような寸法を変更することを伴う。すなわち、カプセル／ピストン４３又は凹部４０の長さ、体積である。これらの寸法変化によって、材料Ｍ２の膨張によって与えられる応力に対する反応が変わる。
【００６０】
第２の手法は、材料Ｍ２の異なる変種を用いることを伴い、その材料Ｍ２の変種はそれぞれ、異なる膨脹係数を有する。材料Ｍ２が異なるために、この手法によって、同じ大きさのカプセル４３又は凹部４０で異なる色変化を得ることができる。
【００６１】
第３の手法は、膜４２の具体化のために異なる材料を用いることを伴う。実際に、それぞれが異なる変形特性を有する材料を用いることによって、材料Ｍ１に与えられる応力が異なるようになり、したがって、色の変化が異なるようになることを確実にする。また、各カプセル／ピストン４３ごとに固有な材料Ｍ１を用いることもできる。
【００６２】
これらの可能性によって、異なる領域において色の変化が異なることを可能にする特徴を有することができるような、第１の材料Ｍ１を用いる複数の領域がある外装要素１を作ることができる。
【００６３】
第２の実施形態において、凹部４０は、図５ａ及び５ｂに示しているように、フレキシブルな材料によって作られた２つの半殻４４’を備えるカプセル４３’を収容するために用いられる。そして、このカプセル４３’は、半殻４４’の一方に対する接着剤結合又は熱溶接によって、凹部内に固定される。また、このカプセル４３’は、温度や圧力のような物理的な量に応じて膨張する材料Ｍ２で充填されるように構成している。凹部４０は、材料Ｍ１によって作られた膜４２’によって閉じられる。結果的に、例えば、温度が上昇すると、カプセル内の材料Ｍ２は膨張して、半殻４４’を変形させる。この半殻４４’は、次に、膜４２’に応力を与える。この応力は、膜４２’を変形させて、したがって、材料Ｍ１が異なる波長を反射する。図５ｃに示すように、１つの凹部４０当たりいくつかのカプセル４３’を設けることができる。
【００６４】
この第２の実施形態の代替例において、外装要素１０自身が、カプセル４３’として用いられる。１つの例（これに限定されない）において、外装要素は、ストラップないしリストバンドの部分３１又はリンク３である。
【００６５】
そして、リストバンド部分は、互いに組み立てられた２つのバンド３１０によって構成している。この組み立ては、２つのバンド３１０がそれらの周部によって取り付けられて内側空間３１２がキャビティとしてはたらくことができるように行われる。このキャビティ３１２によって、巧妙に、温度や圧力のような物理的な量に応じて膨張する材料Ｍ２を含むブラダーを収容することができるようになる。
【００６６】
好ましいことに、本発明によると、リストバンド３の部分３１を形成している２つのバンド３１０の一方又は双方は、与えられた応力に応じて異なる波長を反射することができる材料Ｍ１を担持している。この第１の材料Ｍ１は、これらのバンドの一方及び／又は他方上にて膜ないしバンドの形態にて配置されており、又は図６に示しているようにバンド３１０を構築する材料の一部を形成している。
【００６７】
したがって、例えば、温度が変わるときに、材料Ｍ１は、反応し、膨張又は収縮して、これによって、リストバンド部分を形成する１つのバンド又は複数のバンドを変形させる。このようにして、図７に示しているように、この変形が第１の材料Ｍ１に伝達され、この第１の材料Ｍ１の構造が、与えられた応力の影響の下で変わって異なる波長を反射する。
【００６８】
好ましい変種では、図８に示しているように、リストバンド部分３１には強化構造３１３がある。これらの強化構造は、リストバンド部分を形成する２つのバンド３１０の間に設けられており、そのリストバンド部分に対して長手方向又は横断方向に延在している。これらの強化構造によって、リストバンド部分のねじれ抵抗を増加させることができる。これらの強化構造３１３は、２つのバンドに固定される少なくとも１つの壁３１４の形態である。この構成によって、この壁が様々な領域３１５を定めることができる。例えば、２つの横断方向の壁を有することによって、リストバンド部分において３つの別個の領域が発生する。この変種によると、巧妙なことに、これらの領域はそれぞれ、別個の材料Ｍ２を含むブラダーで充填されることができる。この構成によって、不規則な形態で変形するリストバンド部分を形成する一又は複数のバンドを得ることができる。なぜなら、各別個の領域の材料Ｍ２が異なるように反応するからである。
【００６９】
もちろん、リストバンド部分のバンドを異なる材料で作ることができる。このことによって、好ましいことに、第１の材料を担持しているバンドのために、より有利な変形特性を有する材料を得ることができる。このことは、このバンドが変形しやすくなって、第２の材料Ｍ２の膨張に対する反応性が良くなることを意味している。
【００７０】
第３の実施形態において、第１の材料Ｍ１に応力を与えることは、機械的デバイス１４によって達成される。この機械的デバイスは、ユーザーによる要求があったときに第１の材料に応力を与えて、それによって、その第１の材料の寸法及び／又は形を変えるように構成している。
【００７１】
この第３の実施形態においては、第１の材料に応力を与えるデバイス１４は、ポンプデバイス１４０である。このデバイスは、Reebok（登録商標）によって出願された米国特許ＵＳ５１１３５９９のものと同様である。このようなデバイスは、大まかには、ポンプシステム１４２を備えるプラスチック材料によって作られたブラダー１４１によって構成している。このようなポンプシステム１４２は、プラスチックブラダー１４１を膨張させて収縮させるポンプ１４３と排出弁１４４を有する。用いられるポンプ１４３は、穴１４３ｂがある中空エアチャンバー１４３ａによって構成している。この穴１４３ｂによって、このチャンバーに空気を充填することができる。また、このポンプ１４３には、１対のプラスチック材料のシート１４５ａを用いる逆止め弁１４５を設けることができる。このシート１４５ａは、このポンプ１４３の壁に溶接スポットを介して溶接されることができる。これらのシートは、実質的にＵ字形になるように曲げられ、ポンプからブラダーへの矢の方向にのみ空気を通すことを可能にする。
【００７２】
ブラダーから空気を解放するために、出口弁ないし排出弁１４４を用いる。図９に示している出口弁は、ピストンを閉位置にするばね１４４ｂを有するピストン１４４ａを有することができる。ピストンステム１４４ａの周部のまわりのフランジ１４４ｃによって、空気がピストンと出口コネクターの間に漏れることを防ぐ。なぜなら、フランジが閉位置に付勢されており前記コネクターと接触しているからである。ブラダー１４１から空気を解放するために、ユーザーによってピストンが押し込まれ、ピストンステムのまわりにて空気が逃げる。
【００７３】
このとき、このポンプシステム１４２は、直接ブラダー１４１上に又はブラダー１４１とは離れるように配置されることができ、ダクトを介して前記ブラダーに接続することができる。直接ブラダー１４１又はダクト上の構成は、プラスチック基材とは独立にポンプシステム１４２を作ることによって達成することができる。図９に示しているように、このプラスチック基材は、開口があるブラダー又はダクト上に溶接又は接着剤結合される。
【００７４】
図１０に示している第１の代替実施形態において、外装要素１とブラダー１４１は、一体化されている。
【００７５】
例（これに限定されない）において、外装要素１は、ストラップ又はリストバンド３の部分３１である。前記のように、この部分は、２つのバンド３１００を有しており、これらは互いに接合しており、間に空き空間３１０２を形成している。このようにして、この空き空間３１０２は、エアポケットを形成する。好ましくは携行可能な物を着用するときにユーザーが見る方のバンドである、２つのバンド３１００のうちの一方には、記載しているようなポンプシステム１４２が設けられる。
【００７６】
このために、好ましくはユーザーが見える方のバンドである、２つのバンド３１００の一方には、開口３１０３がある。この開口３１０３は、ポンプシステム１４２を挿入するために設けられる。このポンプシステム１４２は、基礎１４２ａ上に配置される。この基礎１４２ａは、開口３１０３においてリストバンド部分３１のバンド３１００上に溶接され又は接着剤結合される。したがって、ユーザーがポンプシステム１４２に作用して、リストバンド部分を膨張させたり収縮させることができる。
【００７７】
このリストバンド部分は、第１の材料Ｍ１、すなわち、与えられた応力に応じて異なる波長を反射することができる材料、を担持するために用いられる。この第１の材料Ｍ１は、リストバンド部分３１を形成する２つのバンド３１００の少なくとも１つ上に堆積された厚膜の形態である。しかし、第１の材料Ｍ１は、当該材料の一体化された部分を形成するように構成していることができる。この一体化された部分から、バンド３１００が作られる。
【００７８】
好ましい構成の１つ（図示せず）において、プロセスの簡明さのために、前記第１の材料Ｍ１は、２つの光透過性の（ＴＰＵタイプの）熱可塑性膜内にカプセル化されたオパール膜を有し、材料Ｍ１は、リストバンド部分のバンド３１００の少なくとも１つを形成する。したがって、ブラダーとそのプラスチックポンプシステムの製造は、いくつかの熱溶接操作によって容易に達成することができる。結果的に、ユーザーがポンプシステム１４２に作用すると、そのユーザーはリストバンド部分３１内の気圧を増やしたり減らしたりすることができる。圧力が増加すると、この圧力上昇によって与えられる応力は、バンド３１００の一方及び／又は他方の変形を発生させるまで、リストバンド部分３１を形成するバンドへと伝達される。この変形は、第１の材料Ｍ１に伝達され、そして、その第１の材料Ｍ１の構造が変わって、異なる波長を反射するようになる。ポンプシステム１４２の排出弁１４４に作用することによって、リストバンド部分３１から空気を排出して、このリストバンド部分３１内の圧力が下がる。このことによって、バンド３１００に与えられる応力が小さくなり、このバンド３１００はその初期の形に戻る。そして、第１の材料Ｍ１は、その初期の構造に戻り、したがって、元の波長を反射する。
【００７９】
もちろん、リストバンド部分３１を形成するバンド３１００を異なる材料で作ることができる。好ましいことに、このことによって、第１の材料Ｍ１を担持しているバンドのために、より有利な変形特性がある材料を得ることができる。このことは、このときにバンド３１００がより容易に変形可能であるようになり、ポンピングに対する反応性が向上する。
【００８０】
図示している第２の代替実施形態において、外装要素１０とブラダー１４１は別個である。例（これに限定されない）において、外装要素１０はリストバンド部分３１である。前記のように、この部分は、２つのバンド３１００を有しており、これらどうしは接合しており、それらの間に空き空間３１０２を形成している。
【００８１】
好ましいことに、この代替実施形態によると、２つのバンド３１００の間の空き空間３１０２がハウジングとして用いられる。前記のように、このハウジングは、膨張したり収縮したりすることができるブラダー１４１を収容するために用いられ、このハウジングには、ポンプシステム１４２を受ける開口３１０３がある。このようにして、原理は、ポンプ１４５のアクティブ化によって、ブラダー１４１が膨張したり収縮され、その結果その変形とリストバンド部分を形成するバンド３１００の変形を発生させることをするということである。
【００８２】
図１１に示している第１の手法によると、第１の代替実施形態のために説明したように、リストバンド部分を形成するバンド３１００の一方及び／又は他方は、第１の材料Ｍ１を担持している。したがって、ブラダー１４１を膨張又は収縮させると、リストバンド部分に応力が与えられ／与えられず、このリストバンド部分が変形する／変形しない。
【００８３】
図１２に示している第２の手法によれば、ブラダー１４１は、第１の材料Ｍ１を担持している要素であるように構成している。この第１の材料Ｍ１は、ブラダー上に堆積する膜の形態であるが、第１の材料Ｍ１は、ブラダー１４１が作られる材料の一体化された部品を形成するように構成していることもできる。巧妙なことに、リストバンド部分３１のバンド３１００の少なくとも１つには、開口３１０３がある。これらの開口３１０３によって、リストバンド部分３１を形成するバンド３１００を通して特定の波長をブラダー１４１が反射することをユーザーが見ることができるようになる。また、ブラダー１４１がポンプ１４５の作用の下で膨張するとき、ブラダー１４１が開口３１０３内に部分的に挿入されて、したがって、局所的に変形することができる。このようにして、この局所的な変形によって、第１の材料Ｍ１上に局所的な応力を発生させて、したがって、反射することができる波長を変える。
【００８４】
図１３に示している第３の代替例において、ここではリストバンド部分３１である外装要素１は、凹部４００と、材料Ｍ１によって形成されており又は材料Ｍ１を担持しているフレキシブル膜４１０とによって形成されている。この凹部／膜のアセンブリーは、ブラダー１４１を形成している。このようにして、第１の代替実施形態と同様に、ポンプシステム１４２をブラダー１４１上に配置して、ブラダー１４１を膨張又は収縮させて、これによって、材料Ｍ１に幾何学的な応力を与えて、したがって、その色を変えることができる。
【００８５】
この代替例の好ましいバージョンにおいて、プロセスの簡明さのために、凹部４００と、ポンプシステム１４２と、及びブラダーをシールするフレキシブル膜４１０とは、熱可塑性物質で作られている。好ましくは、凹部４１０は、射出成形によって得られたリストバンド部分３１に組み入れられる。材料Ｍ１は、２つの熱可塑性のシートの間でカプセル化されたオパールポリマー膜によって形成されている。このようにして、単純な組み立て操作（超音波、熱溶接など）によって外装要素１を得ることができる。
【００８６】
図１４及び１５に示している例示的実施形態において、外装要素１は、腕時計の表盤４１であり、携行可能な物は、計時器用ムーブメント２５を有する腕時計である。このような場合、ブラダー１４１が表盤４１の下に配置される。このブラダー１４１は、２つの熱溶接された半ブラダーによって作られていることができる。２つの半ブラダーを用いることができることによって、異なる材料によって作られたブラダー１４１を得て、スチフネスが異なる半ブラダーを得ることができ、これによって、１つの半ブラダーを支持体としてはたらかせて、１つの「アクティブな」半ブラダーを容易に変形することができるようにすることができる。そして、このブラダー１４１は、表盤４１と、ケースミドル部２０と、及び計時器用ムーブメントのプレートとによって形成されるハウジング内に配置されることができる。
【００８７】
そして、ブラダー１４１には、腕時計の着用者が操作することができるように外側の腕時計ケース２上に配置されたポンプシステム１４２を介して空気が与えられる。超音波結合又はシールによって、シールされた形態となるようにポンプシステムを腕時計ケースに組み立てることができる。ポンプシステムは、ダクト１４６を介してブラダーに接続している。ダクト１４６は、ブラダー１４１の一体化された部品を形成し、膨張した領域の厚みを小さくするように環状の接合を付加することによって作られる。
【００８８】
ブラダー１４１が携行可能な物の着用者に見えるように、表盤４１には開口４１ａがある。着用者に見えるブラダーの部分は、第１の材料Ｍ１を担持している部分である。したがって、着用者がポンプシステムに作用すると、ブラダーは膨張するか収縮され、材料Ｍ１が反射する光の波長を変えさせる応力が材料Ｍ１に与えられる。
【００８９】
本発明の好ましいバージョンにおいて、材料Ｍ１を担持しているブラダーは、開口内、又は穴をあけられた表盤内にあって、ブラダーが見えるようにされる。ポンプがアクティブ化すると、材料Ｍ１を担持しているブラダーが膨張し、オパールの設計によって色が変わり、表盤の残りに対して識別できるようにされる。
【００９０】
本発明のすべての実施形態において、製造時にＭ１を形成しているオパール材料の実際の構造に作用することによって、基本色と色の変化を変えることができる。実際に、前記文献に記載されているように、オパール材料によって作られた部品の屈折率、大きさ及び間隔によって、元の色と機械的な応力を与えられた後の色を制御することができる。
【００９１】
なお、上で説明した実施形態は、リストバンドや表盤に制限されず、腕時計ケース、ケースミドル部、ベゼル、竜頭、押しボタン、クラスプやバックル、又は風防にも適用することができる。
【００９２】
添付の請求の範囲によって定められる本発明の範囲から逸脱せずに、上記の本発明の様々な実施形態に対して、当業者に明白な様々な変更及び／又は改善及び／又は組み合わせを行うことができることは明らかである。
【００９３】
第１の実施形態において、水を吸収する材料で作られている外装要素を想到することができる。このような構成によって、外装要素が水分で膨張して、これによって、応力を第１の材料の外観に出現させることができる。
【図１】
2019510523.tif 000003
【図２】
2019510523.tif 000004
【図３ａ】
2019510523.tif 000005
【図３ｂ】
2019510523.tif 000006
【図３ｃ】
2019510523.tif 000007
【図４ａ】
2019510523.tif 000008
【図４ｂ】
2019510523.tif 000009
【図４ｃ】
2019510523.tif 000010
【図５ａ】
2019510523.tif 000011
【図５ｂ】
2019510523.tif 000012
【図５ｃ】
2019510523.tif 000013
【図６】
2019510523.tif 000014
【図７】
2019510523.tif 000015
【図８】
2019510523.tif 000016
【図９】
2019510523.tif 000017
【図１０】
2019510523.tif 000018
【図１１】
2019510523.tif 000019
【図１２】
2019510523.tif 000020
【図１３】
2019510523.tif 000021
【図１４】
2019510523.tif 000022
【図１５】
2019510523.tif 000023
【国際調査報告】
2019510523.tif 000024
2019510523.tif 000025
2019510523.tif 000026
2019510523.tif 000027
2019510523.tif 000028
2019510523.tif 000029